(57)【要約】【課題】本発明は、器具本体とセードとの間の空間部における熱を外部へ放熱する構成を容易に実現することができ、さらに薄形化することが照明器具を提供する。【解決手段】本実施形態によれば、セード２９における少なくとも器具本体１１側に多孔質性樹脂からなる放熱フィルタ４０が形成されているので、器具本体１１の反射板１６とセード２９とで形成される空間部３２内の空気の温度上昇を抑制することができ、環状蛍光ランプ１の発光効率の低下や点灯装置２５の電子部品等の故障または短寿命等を防ぐことができる。また、セード２９の底部３１と器具本体１１との寸法を小さくでき、照明器具１０全体を薄形化することができる。【選択図】図１
2006100127.tif 000002
【特許請求の範囲】
【請求項１】
光源が配設可能である器具本体と；
器具本体に設けられ、光源を点灯させる点灯装置と；
開口面と、この開口面と対向する底部とを有し、前記開口面側が器具本体の下面側を覆うように装着されると器具本体の下面側と底部とで空間部が形成されるとともに、少なくとも器具本体側の領域の一部に多孔質性樹脂からなる放熱手段が形成されているセードと；
を具備することを特徴とする照明器具。
【発明の詳細な説明】
【技術分野】
【０００１】
本発明は、セードを有する照明器具に関する。
【背景技術】
【０００２】
従来から、例えば一般住宅の天井に設けられる照明器具の一種として、器具本体の天井側とは反対側である下面部をメタクリル系樹脂からなるセードで覆ういわゆる密閉形のものが知られている。
【０００３】
このようなメタクリル系樹脂からなるセードは、熱が発散され難いので、光源から発生する熱や光源を点灯させるための点灯装置からの熱がセードと器具本体とで形成される空間部に蓄積されて、当該空間部の温度が上昇してしまうことがある。このように、当該空間部の温度が上昇すると光源が例えば蛍光ランプである場合には発光効率が低下するとともに、点灯装置の電子部品の温度が上昇して故障したり、寿命が短くなってしまうという虞があった。
【０００４】
これを解決する方法として、赤外線透過性および熱伝導性に優れた高密度ポリエチレン樹脂組成物を用いてカバーを成形する技術が知られている（例えば、特許文献１参照）。
【０００５】
また、上記とは別の方法として、照明器具の光源が収納されているカバーと器具本体との空間部内にその表面が存在して空間部の熱を奪う中空冷却部材を設け、この中空冷却部材は両端の開口が空間部外に一方の開口が他方の開口よりも下位に位置することで中空冷却部材からの放熱を促すものが知られている。なお、これは、開口および中空冷却部材内には内部への塵埃や虫等の侵入を防ぐための多数の小孔を有するフィルターが備えられるものである（例えば、特許文献２参照）。
【特許文献１】特開２０００−１７３３２６号公報
【特許文献２】特開平９−２５１８１０公報
【発明の開示】
【発明が解決しようとする課題】
【０００６】
しかしながら、特許文献１に記載の従来技術は、現在主流となっているメタクリル系樹脂からなるセードから樹脂材そのものを高密度ポリエチレン樹脂組成物に変更する内容であるため、直ちに製品化し難いものである。また、仮に高密度ポリエチレン樹脂組成物に変更した場合、本樹脂自体には埃塵付着防止のための帯電防止性がないため、別途帯電防止処理等を行う必要が生じるので、製造コストが向上してしまう虞があった。このように製造コストが向上することは、特に量産品において好ましいものではない。
【０００７】
また、特許文献２に記載の従来技術は、セードと器具本体との空間部内に中空冷却部材を設置するのが煩雑であることに加え、当該空間部内に中空冷却材の設置スペースを設ける必要があるため、照明器具が全体として肉厚となってしまう虞があった。
【０００８】
本発明は、上記に鑑みなされたものであり、器具本体とセードとの間の空間部における熱を外部へ放熱する構成を容易に実現することができ、さらに薄形化することが照明器具を提供することを目的とする。
【課題を解決するための手段】
【０００９】
請求項１記載の照明器具は、光源が配設可能である器具本体と；器具本体に設けられ、光源を点灯させる点灯装置と；開口面と、この開口面と対向する底部とを有し、前記開口面側が器具本体の下面側を覆うように装着されると器具本体の下面側と底部とで空間部が形成されるとともに、少なくとも器具本体側の領域の一部に多孔質性樹脂からなる放熱手段が形成されているセードと；を具備することを特徴とする。
【００１０】
光源は、蛍光ランプ、ＬＥＤ、白熱電球等いかなる形態のものでもよく、要するに発光作用を有するものであれば、構成、構造及び発光原理は特に限定しない。また、形状も特に限定されるものではなく、例えば蛍光ランプであれば、直管、円環状及び多角形状であってもよいし、単管構造や多重管構造であってもよい。
【００１１】
「多孔質性樹脂」とは、例えばポリエチレン等からなる細孔構造のものである。そして、この細孔の大きさは、埃塵または虫等が通過できないものであって、かつ、空気の流通は妨げない程度のものである。また、好ましくは、帯電防止性能を有すかまたは帯電防止処理処理を施しているものであり、さらに、細孔からは光が透過するように形成されているものである。なお、上記性能が得られれば、その材料は特に限定されないことはいうまでもない。
【００１２】
放熱手段は、多孔質性樹脂のみからなる構造のものであってもよいし、多孔質性樹脂が他部材と組合わせられることで形成されている構造のものであってもよく、フィルター構造、ハニカム構造または板状等でもよい。そして、セードには例えば開口を設け、その開口に放熱手段が直接ないし間接的に設けられるものである。また、好ましくは、樹脂製セードの成形時に多孔質性樹脂からなる放熱手段を作り込むことである。このようにすることで、成形が容易となり、特に量産品において、好ましいものとなる。
【００１３】
本発明の照明器具は、まず点灯装置が設けられた器具本体に光源が配設され、その後に開口面側を器具本体と対向するようにしてセードを器具本体に装着することで、セードが器具本体の下側を覆う構成となる。そして、例えばリモートコントロール装置や壁スイッチ等の操作によって、光源が点灯装置からの電源供給によって点灯または消灯等の点灯制御が行われる。
【００１４】
ここで、光源が点灯している状態では、光源自体から熱が放出されているとともに、点灯装置からも熱が放出されている。そして、これらの熱は、器具本体の下側とセードとで形成されている空間部に蓄積されて当該空間部の温度が上昇する。さらに、当該空間部の暖められた空気は、空間部内で対流が生じるので、この対流にともない器具本体側のセードに形成されている多孔質性樹脂からなる放熱手段からセードの外部へ放出される。
【００１５】
本発明によれば、セードにおける少なくとも器具本体側の領域の一部に多孔質性樹脂からなる放熱手段が形成されているので、器具本体の下面側とセードとで形成される空間部の温度上昇を抑制することができ、光源の発光効率の低下や点灯装置の電子部品等の故障または短寿命等を防ぐことができる。また、器具本体の下面側とセードとで形成される空間部の放熱が促進されるので、セードの底部と器具本体との寸法を小さくでき、照明器具全体を薄形化することができる。さらにまた、セードに放熱手段を形成しても、この放熱手段から埃塵が器具本体の下面側とセードとで形成される空間部へ進入することが防ぐことができるので、器具効率もよいとともに体裁も優れた照明器具とすることができる。
【発明の効果】
【００１６】
請求項１記載の発明によれば、セードにおける少なくとも器具本体側の領域の一部に多孔質性樹脂からなる放熱手段が形成されているので、器具本体の下面側とセードとで形成される空間部の温度上昇を抑制することができ、光源の発光効率の低下や点灯装置の電子部品等の故障または短寿命等を防ぐことができる。また、器具本体の下面側とセードとで形成される空間部の放熱が促進されるので、セードの底部と器具本体との寸法を小さくでき、照明器具全体を薄形化することができる。
【発明を実施するための最良の形態】
【００１７】
本発明の一実施形態を図面を参照して説明する。図１は、第一実施形態の照明器具を示す断面図である。
【００１８】
図において、照明器具１０は、光源である環状蛍光ランプ１、器具本体１１、点灯装置２５及びセード２９等を有している。
【００１９】
環状蛍光ランプ１は、管外径が２５．５ｍｍ以下の例えば１９ｍｍに形成された環状のガラスバルブ２を有し、このガラスバルブ２内には希ガスおよび水銀を有する放電媒体が封入されるとともに、ガラスバルブ２の内壁面には蛍光体被膜が形成され、ガラスバルブ２の両端には電極が配設され、ガラスバルブ２の両端間に跨がって口金３が配設されている。口金３には、電極に電気的に接続された複数の図示しない口金ピンが、ガラスバルブ２の環状の仮想軸から斜めが外方に向けて突設されている。
【００２０】
器具本体１１は、外観が円形でかつ薄型に形成され、ほぼ同形状の天板１２の下面に取り付けられており、この天板１２の上面が後述する天井面２７への取付面１２ａとなる。器具本体１１の中央には円形の開口部１３が上下方向に開口形成され、この開口部１３の周囲に環状の収納空間１４を内部に有する収納部１５が形成されている。そして、天板１２と対向する面側であって、収納部１５を介して器具本体１１の下面側には反射板１６が形成されている。
【００２１】
そして、反射板１６には、２本の環状蛍光ランプ１の各配設位置に対応して一対のソケット１８が配設されている。このソケット１８は、反射板１６から垂直に突設されているもので、口金ピンが挿入されて電気的に接続される図示しないソケット部が形成されるとともに、口金３の外周に嵌合して保持するほぼＣ字状のホルダ部２０が形成されている。
【００２２】
また、反射板１６には、ソケット１８の位置とは対称位置に、２本の環状蛍光ランプ１の各配設位置に対応して一対のランプホルダ２１がそれぞれ配設されている。このランプホルダ２１は、反射板１６から垂直に突設され、ガラスバルブ２の外周に嵌合して保持するほぼＣ字状のホルダ部２２が形成されている。なお、反射板１６には、図示しないベビー球が天井面２７に対して鉛直方向に突設するように設けられる。
【００２３】
器具本体１１の収納部１５の収納空間１４には、インバータ回路を有する点灯装置（インバータ点灯装置）２５が配設されている。この点灯装置２５の電源入力側にはアダプタ２６が電線などで電気的に接続され、出力側には各ソケット１８が電線などで電気的に接続されている。このアダプタ２６は、高さが薄い円板状に形成され、器具本体１１の開口部１３内の下部側に図示しない連結部を介して器具本体１１に一体的に固定され、その連結部に沿って配線される電線などで点灯装２５の電源入力側と接続されている。そして、アダプタ２６は、器具取付時に、天井面２７に設置されている引掛シーリングに電気的に接続されるとともに機械的に支持される。
【００２４】
器具本体１１には、器具本体１１の下面側及び側方を覆ってセード２９が装着される。このセード２９は、透光性および拡散性を有するメタクリル系樹脂からなる乳白色からなり、なだらかに突出する薄形形状に形成されている。そして、下方へ大きな円弧面でもって底部３１が形成されるとともに、周縁部には器具本体に取り付けられる取付縁部３０が形成され、この取付縁部３０の内側に開口面３１が形成されている。
【００２５】
またセード２９は、器具本体側（すなわち、セード２９の上方領域）に複数の開口３３を形成しており、この開口３３を覆うように放熱手段である放熱フィルタ４０が形成されている。さらにまた、セード２９の底部３１側にも複数の開口３４が形成されており、この開口３４を覆うように放熱手段である放熱フィルタ４０が形成されている。
【００２６】
放熱フィルタ４０は、主として多孔質性樹脂であるポリエチレン樹脂にて形成されている。そして、放熱フィルタ４０を構成する細孔の寸法は、平均で１〜５０μｍであり、埃塵または虫等が通過できないものであって、かつ、空気の流通は妨げない程度のものである。また、帯電防止性能を有するものであって、細孔からは光が透過するように形成されているものである。
【００２７】
本実施形態の作用について説明する。
【００２８】
器具本体１１は、天井面２７に設置されている引掛シーリング２８に接続されるアダプタ２６を介して、器具本体１１が天井面２７に支持されるとともに、器具本体１１側と引掛シーリング２８側とが電気的に接続され、収納部１４の点灯装置１５に電源が供給される。
【００２９】
器具本体１１の反射板１６には、ランプ直径が異なる２本の環状蛍光ランプ１がそれぞれ配設され、口金３から突出する口金ピンがソケット１８に挿入接続されているとともに、口金３と反対側のガラスバルブ２がランプホルダ２１で保持されている。そして、環状蛍光ランプ１、アダプタ２６及び図示しないベビー球などを覆ってセード２９が器具本体１１に装着され、器具本体１１の反射板１６とセード２９の底部３１とで空間部３２が形成される。その後、例えばリモートコントロール装置や壁スイッチ等の操作によって、環状蛍光ランプ１、１の全光、調光、ベビー球のみ点灯、全光源消灯等の点灯制御が行われる。
【００３０】
このような場合において、環状蛍光ランプ１、１が点灯している状態では、環状蛍光ランプ１、１の放電作用にともなってガラスバルブ２及び口金３等が高温となるので、環状蛍光ランプ１、１からの熱が空間部３２に放出されている。さらに、点灯装置１５は、環状蛍光ランプ１、１を点灯させるために内部の電気部品及び電子部品等が動作して発熱し高温となるので、点灯装置２５からの熱が器具本体の１１の収納部１４に放出される。そしてこの熱の一部は、器具本体１１の天板１２を介して天井側に放出されているとともに、反射板１６を介して空間部３２に放出されている。
【００３１】
このように、環状蛍光ランプ１、１から空間部３２へ放出された熱及び点灯装置２５から反射板１６を介して空間部３２へ放出された熱は、空間部３２に蓄積されて空間部３２内の温度は上昇していく。すると、空間部３２内では対流生じることにより、空間部３２内の空気は、セード２９の器具本体１１側に形成されている放熱フィルタ４０及びセード２９の底部３１側に形成されてる放熱フィルタ４０からセード２９の外部へ放出される。
【００３２】
本実施形態によれば、セード２９における少なくとも器具本体１１側に多孔質性樹脂からなる放熱フィルタ４０が形成されているので、器具本体１１の反射板１６とセード２９とで形成される空間部３２内の空気の温度上昇を抑制することができ、環状蛍光ランプ１の発光効率の低下や点灯装置２５の電子部品等の故障または短寿命等を防ぐことができる。
【００３３】
また、放熱フィルタ４０は、セード２９の底部３１側にも設けられているので、空間部３２内の空気が外部へより放出されやすくなっており、空間部３２内の空気の温度上昇がより抑制される。
【００３４】
また、上記空間部２５の放熱が促進されるので、セード２９の底部３１と器具本体１１との寸法を小さくでき、照明器具１０全体を薄形化することができる。
【００３５】
さらにまた、セード２９に放熱フィルタ４０を形成しても、この放熱フィルタ４０から埃塵や虫が上記空間部２５内へ進入することを防ぐことができるので、器具効率がよいとともに体裁も低下しない照明器具１０とすることができる。
【００３６】
さらにまた、放熱フィルタ４０は、帯電防止性を有しているので、静電気等の影響によって塵埃が放熱フィルタ４０に付着することがない。
【００３７】
さらにまた、従来から用いているメタクリル系樹脂からなるセード２９の成形時に放熱フィルタ４０を作り込むことが可能であるので、製造が容易となって製造コストを抑制することができる。
【００３８】
なお、上記実施形態以外に、例えば放熱フィルタ４０は、ＨＥＰＡフィルターのようなものでも構わない。また、開口３３、３４は複数個設けられるものであるが、本実施形態のように上位と下位の組合せとなるように設置したり、器具本体側（すなわち、セード２９の上方領域）のみに複数の開口３３を形成したり、或いは、セード２９全体に模様状にて形成しても構わない。また、開口３３及び放熱フィルタ４０の成形方法は、セード２９の成形後に開口３３を開けて放熱フィルタ４０を付着させる方法でも良いし、セード２９の成形時に開口３３を開ける方法でもよい。
【図面の簡単な説明】
【００３９】
【図１】本実施形態の照明器具を示す断面図
【符号の説明】
【００４０】
１０・・・照明器具、１１・・・器具本体、２５・・・点灯装置、２９・・・セード、４０・・・放熱フィルタ
【図１】
2006100127.tif 000003